(57)【要約】【課題】留め具が、留め具打込み工具に収容された状態で、留め具の種類を簡単に確認することができる、留め具打込み装置を提供する。【解決手段】留め具打込み装置６は、留め具集合体４と、留め具打込み工具５とからなる。留め具集合体４は、複数の留め具３、３が、分断可能な結合部４ａにより連結されている。留め具打込み工具５は、留め具集合体４を収容する弾装部５ａと、留め具３が打ち出される射出口５ｃとを備える。また、留め具打込み工具５は、他の種類の留め具集合体４を、弾装部５ａに収容可能で、かつ、その留め具集合体４の留め具３を射出口５ｃから打ち出し可能となっている。そこで、留め具集合体４は、他の種類の留め具集合体４と識別するための表示部７を、留め具３に有し、弾装部５ａには、表示部７を外部から視認可能な視認部５ｄが形成されている。【選択図】  図１
2019072816.tif 000002
【特許請求の範囲】
【請求項１】
ケーブルを配設面に留め付けるための留め具が複数連結された留め具集合体と、前記留め具を前記配設面に打ち込むための留め具打込み工具とからなる、留め具打込み装置であって、
前記留め具は、金属製の釘体と合成樹脂製の基体とを備え、
前記釘体は、相対向位置する一対の釘部と、それら釘部を一端で繋ぐ連設部とからなって、略コ字状に形成され、
前記基体は、相対向位置して内部が前記釘部が挿入される挿入部となる一対の筒部と、それら筒部を前記連設部のある側で繋ぐ繋ぎ部とを備えて、前記筒部間が、前記ケーブルが通る配置空間となり、
前記留め具集合体は、複数の前記留め具が、前記基体部分で、分断可能な結合部により連結されてなり、
前記留め具打込み工具は、前記留め具に備わる釘部を前記配設面に打ち込むように、前記留め具を打ち出すものであって、前記留め具集合体を収容する弾装部と、その弾装部に収容された留め具集合体を前記留め具の並ぶ一方の方向に送り出す送出し機構と、その留め具のうち送り出す方向の端に位置する留め具が打ち出される射出口とを備え、また、
前記留め具打込み工具は、他の種類の留め具が複数連結された他の種類の留め具集合体を、前記弾装部に収容可能で、かつ、その留め具集合体の留め具を前記射出口から打ち出し可能であって、
前記留め具集合体は、前記他の種類の留め具集合体と識別するための表示部を、前記留め具に有し、
前記弾装部には、前記表示部を外部から視認可能な視認部が形成されている、留め具打込み装置。
【請求項２】
ケーブルを配設面に留め付けるための留め具が複数連結された留め具集合体が、複数種類設けられた留め具集合体セットと、前記留め具を前記配設面に打ち込むための留め具打込み工具とからなる、留め具打込み装置であって、
前記留め具は、金属製の釘体と合成樹脂製の基体とを備え、
前記釘体は、相対向位置する一対の釘部と、それら釘部を一端で繋ぐ連設部とからなって、略コ字状に形成され、
前記基体は、相対向位置して内部が前記釘部が挿入される挿入部となる一対の筒部と、それら筒部を前記連設部のある側で繋ぐ繋ぎ部とを備えて、前記筒部間が、前記ケーブルが通る配置空間となり、
前記留め具集合体は、複数の前記留め具が、前記基体部分で、分断可能な結合部により連結されてなり、
前記留め具打込み工具は、前記留め具に備わる釘部を前記配設面に打ち込むように、前記留め具を打ち出すものであって、互いに前記留め具の種類が異なる複数種類の前記留め具集合体を選択的に収容する弾装部と、その弾装部に収容された留め具集合体を前記留め具の並ぶ一方の方向に送り出す送出し機構と、その留め具のうち送り出す方向の端に位置する留め具が打ち出される射出口とを備え、
複数種類の前記留め具集合体は、互いを識別するための表示部を、前記留め具に有し、
前記弾装部には、前記表示部を外部から視認可能な視認部が形成されている、留め具打込み装置。
【請求項３】
前記複数種類の留め具集合体は、互いに前記留め具の配置空間の形状が異なる、請求項２に記載の留め具打込み装置。
【請求項４】
前記複数種類の留め具集合体は、互いに前記留め具の釘体の形状が異なる、請求項２または３に記載の留め具打込み装置。
【請求項５】
前記表示部は、前記釘部における、前記連設部側の、前記筒部から露出する位置であって、前記配設面への打込み後には前記筒部内または／および前記配設面下に隠れる位置に設けられる、請求項１ないし４のいずれか１項に記載の留め具打込み装置。
【請求項６】
ケーブルを配設面に留め付けるための留め具が複数連結された留め具集合体と、前記留め具を前記配設面に打ち込むための留め具打込み工具とからなる、留め具打込み装置であって、
前記留め具は、金属製の釘体と合成樹脂製の基体とを備え、
前記釘体は、相対向位置する一対の釘部と、それら釘部を一端で繋ぐ連設部とからなって、略コ字状に形成され、
前記基体は、相対向位置して内部が前記釘部が挿入される挿入部となる一対の筒部と、それら筒部を前記連設部のある側で繋ぐ繋ぎ部とを備えて、前記筒部間が、前記ケーブルが通る配置空間となり、
前記留め具集合体は、複数の前記留め具が、前記基体部分で、分断可能な結合部により連結されてなり、
前記留め具打込み工具は、前記留め具に備わる釘部を前記配設面に打ち込むように、前記留め具を打ち出すものであって、前記留め具集合体を収容する弾装部と、その弾装部に収容された留め具集合体を前記留め具の並ぶ一方の方向に送り出す送出し機構と、その留め具のうち送り出す方向の端に位置する留め具が打ち出される射出口とを備え、また、
前記留め具打込み工具は、前記配置空間の形状の異なる他の種類の留め具が複数連結された他の種類の留め具集合体を、前記弾装部に収容可能で、かつ、その留め具集合体の留め具を前記射出口から打ち出し可能であって、
前記弾装部には、前記配置空間の形状を外部から視認可能な視認部が形成されている、留め具打込み装置。
【請求項７】
ケーブルを配設面に留め付けるための留め具が複数連結された留め具集合体が、複数種類設けられた留め具集合体セットと、前記留め具を前記配設面に打ち込むための留め具打込み工具とからなる、留め具打込み装置であって、
前記留め具は、金属製の釘体と合成樹脂製の基体とを備え、
前記釘体は、相対向位置する一対の釘部と、それら釘部を一端で繋ぐ連設部とからなって、略コ字状に形成され、
前記基体は、相対向位置して内部が前記釘部が挿入される挿入部となる一対の筒部と、それら筒部を前記連設部のある側で繋ぐ繋ぎ部とを備えて、前記筒部間が、前記ケーブルが通る配置空間となり、
前記留め具集合体は、複数の前記留め具が、前記基体部分で、分断可能な結合部により連結されてなり、
前記留め具打込み工具は、前記留め具に備わる釘部を前記配設面に打ち込むように、前記留め具を打ち出すものであって、複数種類の前記留め具集合体を選択的に収容する弾装部と、その弾装部に収容された留め具集合体を前記留め具の並ぶ一方の方向に送り出す送出し機構と、その留め具のうち送り出す方向の端に位置する留め具が打ち出される射出口とを備え、
複数種類の前記留め具集合体は、互いに前記留め具の配置空間の形状が異なっており、
前記弾装部には、前記配置空間の形状を外部から視認可能な視認部が形成されている、留め具打込み装置。
【請求項８】
前記視認部は、前記弾装部の、前記留め具を送り出す方向における前記射出口寄りの位置に少なくとも設けられる、請求項１ないし７のいずれか１項に記載の留め具打込み装置。
【請求項９】
ケーブルを配設面に留め付けるための留め具が複数連結された留め具集合体であって、
前記留め具は、金属製の釘体と合成樹脂製の基体とを備え、
前記釘体は、相対向位置する一対の釘部と、それら釘部を一端で繋ぐ連設部とからなって、略コ字状に形成され、
前記基体は、相対向位置して内部が前記釘部が挿入される挿入部となる一対の筒部と、それら筒部を前記連設部のある側で繋ぐ繋ぎ部とを備えて、前記筒部間が、前記ケーブルが通る配置空間となり、
前記留め具集合体は、複数の前記留め具が、前記基体部分で、分断可能な結合部により連結されてなり、また、
前記留め具集合体は、他の種類の留め具が複数連結された他の種類の留め具集合体と識別するための表示部を、前記留め具に有し、
前記表示部は、前記釘部における、前記連設部側の、前記筒部から露出する位置であって、前記配設面への打込み後には前記筒部内または／および前記配設面下に隠れる位置、あるいは、前記基体における、留め付けるケーブルに当接する位置に設けられる、留め具集合体。
【請求項１０】
ケーブルを配設面に留め付けるための留め具が複数連結された留め具集合体が、複数種類設けられた留め具集合体セットであって、
前記留め具は、金属製の釘体と合成樹脂製の基体とを備え、
前記釘体は、相対向位置する一対の釘部と、それら釘部を一端で繋ぐ連設部とからなって、略コ字状に形成され、
前記基体は、相対向位置して内部が前記釘部が挿入される挿入部となる一対の筒部と、それら筒部を前記連設部のある側で繋ぐ繋ぎ部とを備えて、前記筒部間が、前記ケーブルが通る配置空間となり、
前記留め具集合体は、複数の前記留め具が、前記基体部分で、分断可能な結合部により連結されてなり、
複数種類の前記留め具集合体は、互いに前記留め具の種類が異なり、かつ、
複数種類の前記留め具集合体は、互いを識別するための表示部を、前記留め具に有し、
前記表示部は、前記釘部における、前記連設部側の、前記筒部から露出する位置であって、前記配設面への打込み後には前記筒部内または／および前記配設面下に隠れる位置、あるいは、前記基体における、留め付けるケーブルに当接する位置に設けられる、留め具集合体セット。
【発明の詳細な説明】
【技術分野】
【０００１】
この発明は、留め具を打ち出す留め具打込み装置、留め具が複数連結された留め具集合体、および留め具集合体セットに関するものである。
【背景技術】
【０００２】
従来、ステープル打込装置において、形状の異なる留め金を、突き刺す深さを調整して打ち込むことができるものがあった（例えば、特許文献１参照）。
【先行技術文献】
【特許文献】
【０００３】
【特許文献１】特開平１０−１３８１６７号公報
【発明の概要】
【発明が解決しようとする課題】
【０００４】
ところで、前記従来のステープル打込装置（留め具打込み工具）にあっては、そのステープル打込装置に収容された留め金（留め具）が、どのようなものかは、収容された状態では確認することができず不便であった。
【０００５】
この発明は、上記した従来の欠点を解決するためになされたものであり、その目的とするところは、留め具が、留め具打込み工具に収容された状態で、留め具の種類を簡単に確認することができる、留め具打込み装置を提供することにある。
【０００６】
また、他の目的は、留め具そのもの違いを見ることなく、その留め具の種類を確認することができる、留め具集合体、および留め具集合体セットを提供することにある。
【課題を解決するための手段】
【０００７】
この発明に係る留め具打込み装置、留め具集合体、および留め具集合体セットは、前記目的を達成するために、次の構成からなる。すなわち、
請求項１に記載の発明に係る留め具打込み装置は、ケーブルを配設面に留め付けるための留め具が複数連結された留め具集合体と、前記留め具を前記配設面に打ち込むための留め具打込み工具とからなる。ここで、前記留め具は、金属製の釘体と合成樹脂製の基体とを備える。前記釘体は、相対向位置する一対の釘部と、それら釘部を一端で繋ぐ連設部とからなって、略コ字状に形成される。そして、前記基体は、相対向位置して内部が前記釘部が挿入される挿入部となる一対の筒部と、それら筒部を前記連設部のある側で繋ぐ繋ぎ部とを備えて、前記筒部間が、前記ケーブルが通る配置空間となる。そこで、前記留め具集合体は、複数の前記留め具が、前記基体部分で、分断可能な結合部により連結されてなる。一方、前記留め具打込み工具は、前記留め具に備わる釘部を前記配設面に打ち込むように、前記留め具を打ち出すものであって、前記留め具集合体を収容する弾装部と、その弾装部に収容された留め具集合体を前記留め具の並ぶ一方の方向に送り出す送出し機構と、その留め具のうち送り出す方向の端に位置する留め具が打ち出される射出口とを備える。また、前記留め具打込み工具は、他の種類の留め具が複数連結された他の種類の留め具集合体を、前記弾装部に収容可能で、かつ、その留め具集合体の留め具を前記射出口から打ち出し可能となっている。そこで、前記留め具集合体は、前記他の種類の留め具集合体と識別するための表示部を、前記留め具に有し、前記弾装部には、前記表示部を外部から視認可能な視認部が形成されている。
【０００８】
この留め具打込み装置によると、留め具集合体は、留め具が複数連結されて形成され、その留め具集合体は、留め具に、他の種類の留め具が複数連結された他の種類の留め具集合体と識別するための表示部を有する。一方、留め具打込み工具においては、留め具集合体が収容される弾装部に、前記表示部を外部から視認可能な視認部が設けられている。このため、視認部を通して、留め具に設けられた表示部を目視することで、留め具集合体が留め具打込み工具の弾装部に収容された状態で、他の種類の留め具、つまりは他の種類の留め具集合体と識別することができる。
【０００９】
また、請求項２に記載の発明に係る留め具打込み装置は、ケーブルを配設面に留め付けるための留め具が複数連結された留め具集合体が、複数種類設けられた留め具集合体セットと、前記留め具を前記配設面に打ち込むための留め具打込み工具とからなる。ここで、前記留め具は、金属製の釘体と合成樹脂製の基体とを備える。前記釘体は、相対向位置する一対の釘部と、それら釘部を一端で繋ぐ連設部とからなって、略コ字状に形成される。そして、前記基体は、相対向位置して内部が前記釘部が挿入される挿入部となる一対の筒部と、それら筒部を前記連設部のある側で繋ぐ繋ぎ部とを備えて、前記筒部間が、前記ケーブルが通る配置空間となる。そこで、前記留め具集合体は、複数の前記留め具が、前記基体部分で、分断可能な結合部により連結されてなる。一方、前記留め具打込み工具は、前記留め具に備わる釘部を前記配設面に打ち込むように、前記留め具を打ち出すものであって、互いに前記留め具の種類が異なる複数種類の前記留め具集合体を選択的に収容する弾装部と、その弾装部に収容された留め具集合体を前記留め具の並ぶ一方の方向に送り出す送出し機構と、その留め具のうち送り出す方向の端に位置する留め具が打ち出される射出口とを備える。そこで、複数種類の前記留め具集合体は、互いを識別するための表示部を、前記留め具に有する。そして、前記弾装部には、前記表示部を外部から視認可能な視認部が形成されている。
【００１０】
この留め具打込み装置によると、留め具集合体は、留め具が複数連結されて形成される。そして、留め具集合体は、複数種類設けられ、それらは、互いに留め具の種類が異なり、留め具に、互いを識別するための表示部を有する。一方、留め具打込み工具においては、留め具集合体が収容される弾装部に、前記表示部を外部から視認可能な視認部が設けられている。このため、視認部を通して、留め具に設けられた表示部を目視することで、留め具集合体が留め具打込み工具の弾装部に収容された状態で、留め具の種類、つまりは留め具集合体の種類を識別することができる。
【００１１】
また、請求項３に記載の発明に係る留め具打込み装置は、請求項２に記載の留め具打込み装置において、前記複数種類の留め具集合体は、互いに前記留め具の配置空間の形状が異なる。
【００１２】
また、請求項４に記載の発明に係る留め具打込み装置は、請求項２または３に記載の留め具打込み装置において、前記複数種類の留め具集合体は、互いに前記留め具の釘体の形状が異なる。
【００１３】
また、請求項５に記載の発明に係る留め具打込み装置は、請求項１ないし４のいずれか１項に記載の留め具打込み装置において、前記表示部は、前記釘部における、前記連設部側の、前記筒部から露出する位置であって、前記配設面への打込み後には前記筒部内または／および前記配設面下に隠れる位置に設けられる。こうして、表示部を、釘部における、留め具を配設面に打ち込んだ後に基体の筒部内または／および配設面下に隠れる位置に設けることで、打込み後には、表示部が見えなくなり、ケーブルの配設状態の外観を害することがない。
【００１４】
また、請求項６に記載の発明に係る留め具打込み装置は、ケーブルを配設面に留め付けるための留め具が複数連結された留め具集合体と、前記留め具を前記配設面に打ち込むための留め具打込み工具とからなる。ここで、前記留め具は、金属製の釘体と合成樹脂製の基体とを備える。前記釘体は、相対向位置する一対の釘部と、それら釘部を一端で繋ぐ連設部とからなって、略コ字状に形成される。そして、前記基体は、相対向位置して内部が前記釘部が挿入される挿入部となる一対の筒部と、それら筒部を前記連設部のある側で繋ぐ繋ぎ部とを備えて、前記筒部間が、前記ケーブルが通る配置空間となる。そこで、前記留め具集合体は、複数の前記留め具が、前記基体部分で、分断可能な結合部により連結されてなる。一方、前記留め具打込み工具は、前記留め具に備わる釘部を前記配設面に打ち込むように、前記留め具を打ち出すものであって、前記留め具集合体を収容する弾装部と、その弾装部に収容された留め具集合体を前記留め具の並ぶ一方の方向に送り出す送出し機構と、その留め具のうち送り出す方向の端に位置する留め具が打ち出される射出口とを備える。また、前記留め具打込み工具は、前記配置空間の形状の異なる他の種類の留め具が複数連結された他の種類の留め具集合体を、前記弾装部に収容可能で、かつ、その留め具集合体の留め具を前記射出口から打ち出し可能となっている。そこで、前記弾装部には、前記配置空間の形状を外部から視認可能な視認部が形成されている。
【００１５】
この留め具打込み装置によると、留め具集合体は、留め具が複数連結されて形成される。一方、留め具打込み工具においては、留め具集合体が収容される弾装部に、留め具における基体によって形成される配置空間の形状を外部から視認可能な視認部が設けられている。このため、視認部を通して、配置空間の形状を目視することで、留め具集合体が留め具打込み工具の弾装部に収容された状態で、配置空間の形状の異なる他の種類の留め具と識別することができる。
【００１６】
また、請求項７に記載の発明に係る留め具打込み装置は、ケーブルを配設面に留め付けるための留め具が複数連結された留め具集合体が、複数種類設けられた留め具集合体セットと、前記留め具を前記配設面に打ち込むための留め具打込み工具とからなる。ここで、前記留め具は、金属製の釘体と合成樹脂製の基体とを備える。前記釘体は、相対向位置する一対の釘部と、それら釘部を一端で繋ぐ連設部とからなって、略コ字状に形成される。そして、前記基体は、相対向位置して内部が前記釘部が挿入される挿入部となる一対の筒部と、それら筒部を前記連設部のある側で繋ぐ繋ぎ部とを備えて、前記筒部間が、前記ケーブルが通る配置空間となる。そこで、前記留め具集合体は、複数の前記留め具が、前記基体部分で、分断可能な結合部により連結されてなる。一方、前記留め具打込み工具は、前記留め具に備わる釘部を前記配設面に打ち込むように、前記留め具を打ち出すものであって、複数種類の前記留め具集合体を選択的に収容する弾装部と、その弾装部に収容された留め具集合体を前記留め具の並ぶ一方の方向に送り出す送出し機構と、その留め具のうち送り出す方向の端に位置する留め具が打ち出される射出口とを備える。そこで、複数種類の前記留め具集合体は、互いに前記留め具の配置空間の形状が異なっており、前記弾装部には、前記配置空間の形状を外部から視認可能な視認部が形成されている。
【００１７】
この留め具打込み装置によると、留め具集合体は、留め具が複数連結されて形成される。そして、留め具集合体は、複数種類設けられ、それらは、互いに留め具の配置空間の形状が異なる。一方、留め具打込み工具においては、留め具集合体が収容される弾装部に、前記配置空間の形状を外部から視認可能な視認部が設けられている。このため、視認部を通して、配置空間の形状を目視することで、留め具集合体が留め具打込み工具の弾装部に収容された状態で、留め具の種類、つまりは留め具集合体の種類を識別することができる。
【００１８】
また、請求項８に記載の発明に係る留め具打込み装置は、請求項１ないし７のいずれか１項に記載の留め具打込み装置において、前記視認部は、前記弾装部の、前記留め具を送り出す方向における前記射出口寄りの位置に少なくとも設けられる。こうして、視認部を、射出口寄りの位置に少なくとも設けることで、留め具の打込みにより留め具の数が減少して留め具集合体が短くなった場合であっても、この視認部から、留め具における表示部あるいは配置空間の形状を確認することができる。
【００１９】
また、請求項９に記載の発明に係る留め具集合体は、ケーブルを配設面に留め付けるための留め具が複数連結されてなる。ここで、前記留め具は、金属製の釘体と合成樹脂製の基体とを備える。前記釘体は、相対向位置する一対の釘部と、それら釘部を一端で繋ぐ連設部とからなって、略コ字状に形成される。そして、前記基体は、相対向位置して内部が前記釘部が挿入される挿入部となる一対の筒部と、それら筒部を前記連設部のある側で繋ぐ繋ぎ部とを備えて、前記筒部間が、前記ケーブルが通る配置空間となる。そこで、前記留め具集合体は、複数の前記留め具が、前記基体部分で、分断可能な結合部により連結されてなる。また、前記留め具集合体は、他の種類の留め具が複数連結された他の種類の留め具集合体と識別するための表示部を、前記留め具に有する。この表示部は、前記釘部における、前記連設部側の、前記筒部から露出する位置であって、前記配設面への打込み後には前記筒部内または／および前記配設面下に隠れる位置、あるいは、前記基体における、留め付けるケーブルに当接する位置に設けられる。
【００２０】
この留め具集合体によると、留め具集合体は、留め具が複数連結されて形成され、その留め具集合体は、留め具に、他の種類の留め具が複数連結された他の種類の留め具集合体と識別するための表示部を有する。このため、表示部を目視することで、留め具そのもの違いを見ることなく、その留め具の種類を確認することができる。また、表示部を、釘部における、留め具を配設面に打ち込んだ後に基体の筒部内または／および配設面下に隠れる位置、あるいは、基体における、留め付けるケーブルに当接する位置に設けることで、打込み後には、表示部が見えなくなり、ケーブルの配設状態の外観を害することがない。
【００２１】
また、請求項１０に記載の発明に係る留め具集合体セットは、ケーブルを配設面に留め付けるための留め具が複数連結された留め具集合体が、複数種類設けられてなる。ここで、前記留め具は、金属製の釘体と合成樹脂製の基体とを備える。前記釘体は、相対向位置する一対の釘部と、それら釘部を一端で繋ぐ連設部とからなって、略コ字状に形成される。そして、前記基体は、相対向位置して内部が前記釘部が挿入される挿入部となる一対の筒部と、それら筒部を前記連設部のある側で繋ぐ繋ぎ部とを備えて、前記筒部間が、前記ケーブルが通る配置空間となる。そこで、前記留め具集合体は、複数の前記留め具が、前記基体部分で、分断可能な結合部により連結されてなる。そして、複数種類の前記留め具集合体は、互いに前記留め具の種類が異なり、かつ、複数種類の前記留め具集合体は、互いを識別するための表示部を、前記留め具に有する。この表示部は、前記釘部における、前記連設部側の、前記筒部から露出する位置であって、前記配設面への打込み後には前記筒部内または／および前記配設面下に隠れる位置、あるいは、前記基体における、留め付けるケーブルに当接する位置に設けられる。
【００２２】
この留め具集合体セットによると、留め具集合体は、留め具が複数連結されて形成される。そして、留め具集合体は、複数種類設けられ、それらは、互いに留め具の種類が異なり、留め具に、互いを識別するための表示部を有する。このため、表示部を目視することで、留め具そのもの違いを見ることなく、その留め具の種類を確認することができる。また、表示部を、釘部における、留め具を配設面に打ち込んだ後に基体の筒部内または／および配設面下に隠れる位置、あるいは、基体における、留め付けるケーブルに当接する位置に設けることで、打込み後には、表示部が見えなくなり、ケーブルの配設状態の外観を害することがない。
【発明の効果】
【００２３】
この発明に係る留め具打込み装置によれば、留め具打込み工具の弾装部に設けた視認部を通して、留め具の表示部あるいは配置空間の形状を目視することで、留め具が、留め具打込み工具に収容された状態で、留め具の種類を簡単に確認することができる。
【００２４】
また、この発明に係る留め具集合体、および留め具集合体セットによれば、留め具に設けた表示部を目視することで、その留め具の種類を確認することができる。
【図面の簡単な説明】
【００２５】
【図１】この発明一実施の形態の、留め具打込み装置の側面図である。
【図２】同じく、留め具打込み装置の斜視図である。
【図３】同じく、操作ハンドルが配設面から離れた側にあるときの、留め具打込み装置の断面図である。
【図４】同じく、操作ハンドルを配設面側へと回動させていく途中の、留め具打込み装置の断面図である。
【図５】同じく、操作ハンドルを配設面側へと回動させた終端部での、打撃ドライバが配設面側に移動する前の、留め具打込み装置の断面図である。
【図６】同じく、操作ハンドルを配設面側へと回動させた終端部での、打撃ドライバが配設面側に移動した後の、留め具打込み装置の断面図である。
【図７】同じく、アタッチメントが下側に位置するときの、留め具打込み装置の斜視図である。
【図８】同じく、留め具集合体を示し、（ａ）は、斜視図、（ｂ）は、側面図である。
【図９】同じく、（ａ）は、図８（ｂ）におけるＡ−Ａ線による断面図、（ｂ）は、図８（ｂ）におけるＢ−Ｂ線による断面図である。
【図１０】同じく、配設面に打ち込まれた留め具の断面図である。
【図１１】同じく、他の種類の留め具集合体を示し、（ａ）は、斜視図、（ｂ）は、側面図である。
【図１２】同じく、（ａ）は、図１１（ｂ）におけるＣ−Ｃ線による断面図、（ｂ）は、図１１（ｂ）におけるＤ−Ｄ線による断面図である。
【発明を実施するための形態】
【００２６】
以下、この発明に係る留め具打込み装置、留め具集合体、および留め具集合体セットを実施するための形態を図面に基づいて説明する。
【００２７】
図１〜図１２は、本発明の一実施の形態を示す。図中符号１は、配設面を示す。２は、電線等のケーブルを示す。３は、前記ケーブル２を前記配設面１に留め付けるための留め具を示す。４は、前記留め具３が複数連結された留め具集合体を示す。５は、前記留め具３を前記配設面１に打ち込むための留め具打込み工具を示す。６は、留め具打込み装置を示し、この留め具打込み装置６は、前記留め具集合体４と、前記留め具打込み工具５とからなる。
【００２８】
ここで、留め具３は、金属製の釘体３ａと合成樹脂製の基体３ｂとを備える。釘体３ａは、相対向位置する一対の釘部３ｃ、３ｃと、それら釘部３ｃ、３ｃを一端で繋ぐ連設部３ｄとからなって、略コ字状に形成される。基体３ｂは、相対向位置して内部が釘部３ｃが挿入される挿入部となる一対の筒部３ｅ、３ｅと、それら筒部３ｅ、３ｅを釘体３ａにおける連設部３ｄのある側で繋ぐ繋ぎ部３ｆとを備えて、筒部３ｅ、３ｅ間が、ケーブル２が通る配置空間３ｇとなる。
【００２９】
留め具集合体４は、複数の前記留め具３、３が、基体３ｂ部分で、分断可能な結合部４ａにより連結されている。この留め具集合体４は、他の種類の留め具３が複数連結された他の種類の留め具集合体４と識別するための表示部７を、前記留め具３に有する。同様に、他の種類の留め具集合体４においても、この留め具集合体４と識別するための表示部７を、留め具３に有する。つまり、複数種類の留め具集合体４、４は、互いに留め具３の種類が異なり、かつ、互いを識別するための表示部７を、留め具３に有する。そして、これら複数種類の留め具集合体４、４は、留め具集合体セットを構成する。
【００３０】
一方、留め具打込み工具５は、留め具３に備わる釘部３ｃを配設面１に打ち込むように、その留め具３を打ち出すものであって、留め具集合体４を収容する弾装部５ａと、その弾装部５ａに収容された留め具集合体４を留め具３、３の並ぶ一方の方向に送り出す送出し機構５ｂと、その留め具３、３のうち送り出す方向Ｑの端に位置する留め具３が打ち出される射出口５ｃとを備える。また、留め具打込み工具５は、他の種類の留め具３が複数連結された他の種類の留め具集合体４を、前記弾装部５ａに収容可能で、かつ、その留め具集合体４の留め具３を前記射出口５ｃから打ち出し可能となっている。つまり、留め具打込み工具５は、互いに留め具３の種類が異なる複数種類の留め具集合体４、４を選択的に収容する弾装部５ａと、その弾装部５ａに収容された留め具集合体４を留め具３、３の並ぶ一方の方向に送り出す送出し機構５ｂと、その留め具３、３のうち送り出す方向Ｑの端に位置する留め具３が打ち出される射出口５ｃとを備える。そして、留め具打込み工具５における弾装部５ａには、留め具３に設けられた表示部７を外部から視認可能な視認部５ｄが形成されている。
【００３１】
具体的には、留め具３は、３心の平型ケーブル用の留め具であって、基体３ｂは、その配置空間３ｇが幅広の長方形類似形状となるように形成されている（図８〜図１０参照）。そして、他の種類の留め具３としては、例えば、２心の平型ケーブル用の留め具があり、この留め具３の基体３ｂは、その配置空間３ｇが、幅狭の長方形類似形状となるように形成されている（図１１、図１２参照）。そのほかに、他の種類の留め具３として、図示を省略するが、同軸ケーブル用の留め具があり、この留め具の基体は、その配置空間が、三角形の頂部を弧状とした三角形類似形状となるように形成される。すなわち、留め具集合体４と他の種類の留め具集合体４とは、留め具３の配置空間３ｇの形状が異なっている。つまり、複数種類の留め具集合体４、４は、互いに留め具３の配置空間３ｇの形状が異なっている。そして、これら留め具集合体４（留め具３）と他の種類の留め具集合体４（他の種類の留め具３）とは、外輪郭形状が共通であって、それぞれが、同じ弾装部５ａに収容可能となっている。
【００３２】
また、前記表示部７は、釘部３ｃにおける、連設部３ｄ側の、基体３ｂの筒部３ｅから露出する位置であって、配設面１への打込み後には筒部３ｅ内または／および配設面１下に隠れる位置（図示実施の形態においては、筒部３ｅ内に隠れる位置）に設けられる（図８〜図１０参照）。この表示部７は、釘部３ｃに、例えば、塗料が塗布されることで設けられる。そこで、この表示部７（すなわち、塗料）の色は、他の種類の留め具３に設けられた表示部７の色とは異なった色となっている。つまり、複数種類の留め具集合体４、４は、互いに表示部７の色が異なっている。
【００３３】
留め具打込み工具５においては、前記視認部５ｄは、弾装部５ａの、留め具３を送り出す方向Ｑにおける射出口５ｃ寄りの位置に少なくとも（図示実施の形態においては、射出口５ｃ寄りの位置に）設けられる。詳細には、視認部５ｄは、孔であって、図示実施の形態においては、弾装部５ａの側面に設けられる。
【００３４】
この留め具打込み工具５は、本体５０１と、操作ハンドル５０２と、配設面１に当接して本体５０１の姿勢を保持する姿勢保持部５０３とを備える。そして、本体５０１は、前記弾装部５ａと、前記送出し機構５ｂと、前記射出口５ｃと、前記視認部５ｄと、打撃ドライバ５ｅと、連動機構５ｆとを備える。
【００３５】
操作ハンドル５０２は、本体５０１の前側に位置するハンドル軸５ｇを中心に、回動可能に軸支され、本体５０１の後ろ側に延びて手で操作されるものである。この操作ハンドル５０２には、前側に親指と人差し指とが跨ぐようにして掛けられ、後ろ側に手の平が載せられる。そして、本体５０１に設けられた指掛け部５ｈに、人差し指から小指までの先端が掛けられる。
【００３６】
弾装部５ａは、本体５０１の下部に、前後に長手となるように設けられる。そこで、留め具集合体４は、留め具３の並ぶ方向が弾装部５ａの長手方向となる向きで、その弾装部５ａに収容される。そして、弾装部５ａの前端部分に、前記射出口５ｃが設けられる。
【００３７】
送出し機構５ｂは、留め具集合体４（複数の留め具３、３）を送り出す方向Ｑ（弾装部５ａの長手方向であって前方に向かう方向）へと付勢する付勢手段５ｉ（図示実施の形態においては、コイルスプリング）と、その付勢手段５ｉに抗して、留め具集合体４（複数の留め具３、３）をその送り出す方向Ｑの先端で止めるストッパー面５ｊとを備える（図５参照）。ここで、ストッパー面５ｊは、弾装部５ａの前端部内面からなる。
【００３８】
打撃ドライバ５ｅは、留め具３、３のうち送り出す方向Ｑの端に位置する留め具３を射出口５ｃから配設面１に向けて打ち出すものである。この打撃ドライバ５ｅは、上下方向（前記送り出す方向Ｑに対し、垂直方向）にスライド可能となっている。そこで、打撃ドライバ５ｅが、上方（配設面１から離れた側）に移動したときには、留め具集合体４は、ストッパー面５ｊに当接し、打撃ドライバ５ｅは、留め具集合体４の前端の留め具３（つまり、前記送り出す方向Ｑの先端に位置する留め具３）の上方に位置する（図５参照）。そして、打撃ドライバ５ｅが、留め具３を打ち出すように下方（配設面１に近づいた側）に移動したときには、留め具集合体４（詳しくは、打ち出された留め具３の後方に控える留め具３）は、打撃ドライバ５ｅの後面に当接する（図６参照）。
【００３９】
連動機構５ｆは、操作ハンドル５０２の、配設面１側への回動に連動して、打撃ドライバ５ｅを、配設面１から離れた側に移動させ（図４参照）、その回動の終端部で（図５参照）、打撃ドライバ５ｅで留め具３を打ち出すよう打撃ドライバ５ｅを配設面１側に移動させるものである（図６参照）。
【００４０】
この連動機構５ｆは、リンク機構を備え、そのリンク機構は、第１レバー５ｍと第２レバー５ｎとスプリング受け５ｐとを備える。第１レバー５ｍは、第１軸部５ｑで、本体５０１のケース５ｒに回動可能に軸支される。この第１レバー５ｍには、後端にローラ５ｓが設けられ、そのローラ５ｓが、操作ハンドル５０２の裏面に当接する。そして、第１レバー５ｍは、スプリング５ｔ（詳しくは、コイルスプリング）によって、回動方向（図において、反時計回り方向）に付勢される。第２レバー５ｎは、第２軸部５ｕで、第１レバー５ｍに回動可能に軸支される。この第２レバー５ｎには、所定の回動位置を越えて回動（図において、反時計回り方向に回動）することのないように、第１レバー５ｍの係止部５ｖに係止される被係止部５ｗが設けられている（図４〜図６参照）。そして、第２レバー５ｎは、スプリング（図示せず）によって、回動方向（図において、反時計回り方向）に付勢される。スプリング受け５ｐは、打撃ドライバ５ｅに打込み力を付与するための打撃スプリング５ｘを受けるものであって、打撃ドライバ５ｅと一体となって移動する。このスプリング受け５ｐには、後方に突出する被係合部５ｙが設けられ、この被係合部５ｙと、第２レバー５ｎの先端部分の係合部５ｚとが係合する。
【００４１】
そこで、操作ハンドル５０２が配設面１から離れた側となる回動位置（図３参照）から、操作ハンドル５０２を押圧して、配設面１側へと回動させると、第１レバー５ｍを介して、第２レバー５ｎの係合部５ｚが、スプリング受け５ｐの被係合部５ｙに係合して、そのスプリング受け５ｐ、ひいては打撃ドライバ５ｅは、打撃スプリング５ｘの付勢力に抗して、配設面１から離れた側に引き上げられる（図４、図５参照）。この際、操作ハンドル５０２の、配設面１側への回動の途中で、第２レバー５ｎの被係止部５ｗが第１レバー５ｍの係止部５ｖに係止されて（図４参照）、第１レバー５ｍと第２レバー５ｎとが一体となって回動（図において、時計回り方向に回動）し、操作ハンドル５０２の回動の終端部で、第２レバー５ｎの係合部５ｚが、スプリング受け５ｐの被係合部５ｙから外れる（図５参照）。これに先立ち、留め具集合体４（留め具３）が、送出し機構５ｂにより、ストッパー面５ｊに当接するまで送り出されている。そこで、打撃スプリング５ｘの付勢力により、スプリング受け５ｐ、ひいては打撃ドライバ５ｅは、配設面１側に急速に移動し、その打撃ドライバ５ｅによって、ストッパー面５ｊに当接している留め具３が、射出口５ｃから、配設面１に向かって打ち出される（図６参照）。
【００４２】
その後、操作ハンドル５０２に掛けた手を緩めると、操作ハンドル５０２は、スプリング５ｔの付勢力により、配設面１から離れた側に回動し、これに伴って、第２レバー５ｎが配設面１側に移動し、最初の状態（図３参照）に戻る。
【００４３】
姿勢保持部５０３は、本体５０１から配設面１側に突出するようにして設けられる。この姿勢保持部５０３は、打撃ドライバ５ｅ側に位置する第１姿勢保持部５０４と、打撃ドライバ５ｅから離れた、操作ハンドル５０２の延びる側に位置する第２姿勢保持部５０５とを備える。ここで、第１姿勢保持部５０４は、本体５０１から配設面１側に突出するとともに、ケーブル２を跨いで配設面１に当接するようそのケーブル２を受け入れる凹部５０ａを有する。同様に、第２姿勢保持部５０５は、本体５０１から配設面１側に突出するとともに、ケーブル２を跨いで配設面１に当接するようそのケーブル２を受け入れる凹部５０ｂを有する。
【００４４】
詳細には、留め具打込み工具５は、前記第１姿勢保持部５０４を有する第１姿勢保持部材５０ｃと、前記第２姿勢保持部５０５を有する第２姿勢保持部材５０ｄとを備え、それら第１姿勢保持部材５０ｃと第２姿勢保持部材５０ｄとが、本体５０１（詳しくは、ケース５ｒ）に固定される。
【００４５】
ところで、この留め具打込み工具５は、前記ケーブル２（図示実施の形態においては、３心の平型ケーブル）とは、横断面の外形形状の異なるケーブルに対応できるように、アタッチメント５０ｅを備える。図示実施の形態においては、アタッチメント５０ｅは、２心の平型ケーブル用であり、その２心の平型ケーブルに対応するよう、第１姿勢保持部５０４の凹部５０ａよりも幅狭となる凹部５０ｆを有する。このアタッチメント５０ｅは、第１姿勢保持部材５０ｃに被るようにしてその第１姿勢保持部材５０ｃに取り付けられる。そして、アタッチメント５０ｅは、第１姿勢保持部材５０ｃに対し（つまりは、本体５０１に対し）、配設面１から離れた側（上側）と近づいた側（下側）との間をスライド可能となっている。そこで、アタッチメント５０ｅが上側に位置するときには、第１姿勢保持部５０４が露出し、その第１姿勢保持部５０４でケーブル２を位置決めすることができる（図１〜図６参照）そして、アタッチメント５０ｅが下側に位置するときには、そのアタッチメント５０ｅの凹部５０ｆで、２心の平型ケーブルを位置決めすることができる（図７参照）。また、アタッチメント５０ｅは、２心の平形ケーブルの他に、同軸ケーブル用などの各種のものが用意されており、それらを着脱交換することで、各種のケーブルに対応可能となっている。
【００４６】
次に、以上の構成からなる留め具打込み装置６、留め具集合体４、および留め具集合体セットの作用効果について説明する。留め具打込み装置６によると、留め具集合体４は、留め具３が複数連結されて形成され、その留め具集合体４は、留め具３に、他の種類の留め具３が複数連結された他の種類の留め具集合体４と識別するための表示部７を有する。一方、留め具打込み工具５においては、留め具集合体４が収容される弾装部５ａに、前記表示部７を外部から視認可能な視認部５ｄが設けられている。このため、視認部５ｄを通して、留め具３に設けられた表示部７を目視することで、留め具集合体４が留め具打込み工具５の弾装部５ａに収容された状態で、他の種類の留め具３、つまりは他の種類の留め具集合体４と識別することができる。すなわち、この留め具打込み装置６によれば、留め具打込み工具５の弾装部５ａに設けた視認部５ｄを通して、留め具３に設けられた表示部７を目視することで、留め具３が、留め具打込み工具５（詳しくは、弾装部５ａ）に収容された状態で、留め具３の種類（留め具集合体４の種類）を簡単に確認することができる。
【００４７】
また、留め具３（留め具集合体４）の表示部７を、釘部３ｃにおける、留め具３を配設面１に打ち込んだ後に基体３ｂの筒部３ｅ内または／および配設面１下に隠れる位置（図示実施の形態においては、筒部３ｅ内に隠れる位置）に設けることで、打込み後には、表示部７が見えなくなり、ケーブル２の配設状態の外観を害することがない。
【００４８】
また、留め具打込み工具５の視認部５ｄを、射出口５ｃ寄りの位置に少なくとも設けることで、留め具３の打込みにより留め具３の数が減少して留め具集合体４が短くなった場合であっても、この視認部５ｄから、留め具３における表示部７を確認することができる。
【００４９】
また、留め具集合体４によると、前述のように、留め具集合体４は、留め具３が複数連結されて形成され、その留め具集合体４は、留め具３に、他の種類の留め具３が複数連結された他の種類の留め具集合体４と識別するための表示部７を有する。このため、留め具３に設けた表示部７を目視することで、留め具３そのもの違いを見ることなく、その留め具３の種類（留め具集合体４の種類）を確認することができる。また、表示部７を、釘部３ｃにおける、留め具３を配設面１に打ち込んだ後に基体３ｂの筒部３ｅ内または／および配設面１下に隠れる位置（図示実施の形態においては、筒部３ｅ内に隠れる位置）に設けることで、打込み後には、表示部７が見えなくなり、ケーブル２の配設状態の外観を害することがない。
【００５０】
また、留め具集合体セットによると、留め具集合体４は、留め具３が複数連結されて形成される。そして、留め具集合体４は、複数種類設けられ、それらは、互いに留め具３の種類が異なり、留め具３に、互いを識別するための表示部７を有する。このため、留め具３に設けた表示部７を目視することで、留め具３そのもの違いを見ることなく、その留め具３の種類（留め具集合体４の種類）を確認することができる。また、表示部７を、釘部３ｃにおける、留め具３を配設面１に打ち込んだ後に基体３ｂの筒部３ｅ内または／および配設面１下に隠れる位置（図示実施の形態においては、筒部３ｅ内に隠れる位置）に設けることで、打込み後には、表示部７が見えなくなり、ケーブル２の配設状態の外観を害することがない。
【００５１】
なお、本発明は、上述した実施の形態に限定されるわけではなく、その他種々の変更が可能である。例えば、留め具打込み装置６は、留め具集合体４と留め具打込み工具５とからなるが、この留め具集合体４に代えて、留め具集合体セットを加えてもよい。そして、この留め具集合体セットと留め具打込み工具５とからなる留め具打込み装置の作用効果も同様であって、留め具打込み工具５の弾装部５ａに設けた視認部５ｄを通して、留め具３に設けられた表示部７を目視することで、留め具集合体４が留め具打込み工具５の弾装部５ａに収容された状態で、留め具３の種類、つまりは留め具集合体４の種類を識別することができる。すなわち、留め具打込み工具５の弾装部５ａに設けた視認部５ｄを通して、留め具３の表示部７を目視することで、留め具３が、留め具打込み工具５（詳しくは、弾装部５ａ）に収容された状態で、留め具３の種類（留め具集合体４の種類）を簡単に確認することができる。
【００５２】
また、複数種類の留め具集合体４、４は、互いに留め具３の配置空間３ｇの形状が異なるが、この配置空間３ｇの形状に代えて、あるいは加えて、互いに釘体３ａの形状が異なってもよい。すなわち、釘体３ａの形状が、複数種類の留め具集合体４、４のそれぞれで、例えば、断面扁平形状であったり、断面丸形状であったりしてもよい。また、本実施の形態においては、複数種類の留め具集合体４、４のうち、３心の平形ケーブル用の留め具３、３からなる留め具集合体４に着目して説明しているが、それら複数種類の留め具集合体４、４のうちのいずれに着目しても構わず、その着目する留め具集合体４を、他の種類の留め具集合体４と対比することができる。
【００５３】
また、留め具集合体４（留め具３）における表示部７は、他の種類の留め具集合体４（他の種類の留め具３）における表示部７とは色が異なっている、つまり、複数種類の留め具集合体４、４は、互いに表示部７の色が異なっているが、これに代えて、例えば、表示部７を線で表し、その線の数が、それぞれの留め具集合体４で異なってもよく、その表し方は、任意である。
【００５４】
また、表示部７は、釘部３ｃに設けられなくても、例えば、基体３ｂにおける、配設面１に留め付けるケーブル２に当接する位置、具体的には、基体３ｂにおける、配置空間３ｇ側の面である筒部３ｅの内側面とか繋ぎ部３ｆの内側面に設けられてもよい。こうして、表示部７を、基体３ｂにおける、留め付けるケーブル２に当接する位置に設けることで、打込み後には、表示部７が見えなくなり、ケーブル２の配設状態の外観を害することがない。また、表示部７を設ける位置は、これらの位置に限定されるものではないのは勿論である。
【００５５】
また、留め具打込み工具５における視認部５ｄは、表示部７の位置に対応して、表示部７が視認可能となる位置（例えば、弾装部５ａの側面とか底面）に設けられるものであるが、この視認部５ｄは、孔でなくても、透明部分であってもよい。また、この視認部５ｄは、弾装部５ａの、留め具３を送り出す方向Ｑにおける射出口５ｃ寄りの位置に設けられるが、留め具３を送り出す方向Ｑの全体（つまり、弾装部５ａの長手方向の全体）に設けられてもよく、また、その他の位置に設けられてもよい。
【００５６】
また、留め具打込み装置において、他の種類の留め具３が配置空間３ｇの形状が異なる場合、つまり、複数種類の留め具集合体４、４が、互いに留め具３の配置空間３ｇの形状が異なっている場合には、留め具３に表示部７を設けることなく、留め具打込み工具５の弾装部５ａに、配置空間３ｇの形状を外部から視認可能な視認部を形成してもよい。この留め具打込み装置によると、留め具打込み工具５は、留め具集合体４が収容される弾装部５ａに、留め具３における基体３ｂによって形成される配置空間３ｇの形状を外部から視認可能な視認部が設けられている。このため、視認部を通して、配置空間３ｇの形状を目視することで、留め具集合体４が留め具打込み工具５の弾装部５ａに収容された状態で、配置空間３ｇの形状の異なる他の種類の留め具３と識別（つまり、留め具３の種類（留め具集合体４の種類）を識別）することができる。すなわち、留め具打込み工具５の弾装部５ａに設けた視認部を通して、留め具３の配置空間３ｇの形状を目視することで、留め具３が、留め具打込み工具５（詳しくは、弾装部５ａ）に収容された状態で、留め具３の種類（留め具集合体４の種類）を簡単に確認することができる。また、ここで、視認部を、射出口５ｃ寄りの位置に少なくとも設けると、留め具３の打込みにより留め具３の数が減少して留め具集合体４が短くなった場合であっても、この視認部から、配置空間３ｇの形状を確認することができる。
【符号の説明】
【００５７】
１  配設面
２  ケーブル
３  留め具
３ａ  釘体
３ｂ  基体
３ｃ  釘部
３ｄ  連設部
３ｅ  筒部
３ｆ  繋ぎ部
３ｇ  配置空間
４  留め具集合体
４ａ  結合部
５  留め具打込み工具
５ａ  弾装部
５ｂ  送出し機構
５ｃ  射出口
５ｄ  視認部
６  留め具打込み装置
７  表示部
Ｑ  送り出す方向
【図１】
2019072816.tif 000003
【図２】
2019072816.tif 000004
【図３】
2019072816.tif 000005
【図４】
2019072816.tif 000006
【図５】
2019072816.tif 000007
【図６】
2019072816.tif 000008
【図７】
2019072816.tif 000009
【図８】
2019072816.tif 000010
【図９】
2019072816.tif 000011
【図１０】
2019072816.tif 000012
【図１１】
2019072816.tif 000013
【図１２】
2019072816.tif 000014